(57)【特許請求の範囲】
【請求項１】
乳幼児の授乳前後の体重から授乳量を求めるベビースケールにおいて、
重量センサを備えており重量センサからの出力信号に基づいて乳幼児の体重を算出する体重測定手段と、
体重の測定日時を入力する日時入力手段と、
前記体重および前記測定日時を記憶する不揮発性の記憶手段と、
体重測定の開始を指示するための開始指示手段と、
ベビースケールを通常動作モード、または、パワーオフモードで動作するよう制御する制御手段とを備え、
該制御手段は、開始指示手段からの指示に応答してベビースケールを通常動作モードにし、授乳前の体重が測定済みであるか否かを判定する第１の判定手段を含み、
該第１の判定手段により、授乳前の体重が未測定であると判定される場合には、授乳前の体重と授乳前の測定日時とを前記記憶手段に記憶し、その後、ベビースケールをパワーオフモードにし、
前記第１の判定手段により、授乳前の体重が測定済みであると判定される場合には、授乳前後の測定日時から測定時間間隔を算出し、
前記制御手段は、前記算出された測定時間間隔が所定の測定時間間隔を超えているか否かを判定する第２の判定手段を更に含み、
該第２の判定手段により、前記算出された測定時間間隔が所定の測定時間間隔を超えていると判定される場合には、前記記憶手段に記憶されている授乳前の体重および測定日時を消去した後に、ベビースケールをパワーオフモードにし、
前記第２の判定手段により、前記算出された測定時間間隔が所定の測定時間間隔を超えていないと判定される場合には、授乳前後の体重から授乳量を算出することを特徴とするベビースケール。
【請求項２】
乳幼児の授乳前後の体重から授乳量を求めるベビースケールにおいて、
重量センサを備えており重量センサからの出力信号に基づいて乳幼児の体重を算出する体重測定手段と、
体重の測定日時を入力する日時入力手段と、
前記体重および前記測定日時を記憶する揮発性の記憶手段と、
体重測定の開始を指示するための開始指示手段と、
ベビースケールを通常動作モード、低消費電力動作モード、または、パワーオフモードで動作するよう制御する制御手段とを備え、
該制御手段は、開始指示手段からの指示に応答してベビースケールを通常動作モードにし、授乳前の体重が測定済みであるか否かを判定する第１の判定手段を含み、
該第１の判定手段により、授乳前の体重が未測定であると判定される場合には、授乳前の体重と授乳前の測定日時とを前記記憶手段に記憶し、その後、ベビースケールを低消費電力動作モードにし、
前記第１の判定手段により、授乳前の体重が測定済みであると判定される場合には、授乳前後の測定日時から測定時間間隔を算出し、
前記制御手段は、前記算出された測定時間間隔が所定の測定時間間隔を超えているか否かを判定する第２の判定手段を更に含み、
該第２の判定手段により、前記算出された測定時間間隔が所定の測定時間間隔を超えていると判定される場合には、ベビースケールをパワーオフモードにすることにより前記記憶手段に記憶されている授乳前の体重及び測定日時を消去し、
前記第２の判定手段により、前記算出された測定時間間隔が所定の測定時間間隔を超えていないと判定される場合には、授乳前後の体重から授乳量を算出することを特徴とするベビースケール。
【請求項３】
前記低消費電力動作モードでは、前記記憶手段にのみ電力が供給されることを特徴とする請求項２に記載のベビースケール。
【請求項４】
前記制御手段は、前記第２の判定手段により、前記算出された測定時間間隔が所定の測定時間間隔を超えていると判定される場合には、エラーを表示した後にベビースケールをパワーオフモードにすることを特徴とする請求項１から請求項３のうちのいずれか１項に記載のベビースケール。
【請求項５】
前記日時入力手段は手入力により測定日時を入力するようになったことを特徴とする請求項１から請求項４のうちのいずれか１項に記載のベビースケール。
【請求項６】
前記日時入力手段は時計回路であることを特徴とする請求項１から請求項４のうちのいずれか１項に記載のベビースケール。
【請求項７】
乳幼児の授乳前後の体重から授乳量を求めるベビースケールにおいて、
重量センサを備えており重量センサからの出力信号に基づいて乳幼児の体重を算出する体重測定手段と、
前記体重および授乳中カウンタを記憶する揮発性の記憶手段と、
体重測定を開始するよう指示するための開始指示手段と、
一定の時間間隔でタイマー割込みを発生するタイマー割込み手段と、
ベビースケールを通常動作モード、パワーオフモード、または、低消費電力動作モードで動作するよう制御する制御手段とを備え、
該制御手段は、開始指示手段からの指示に応答してベビースケールを通常動作モードにし、授乳前の体重が測定済みであるか否かを判定する第１の判定手段を含み、
該第１の判定手段により、授乳前の体重が未測定であると判定される場合には、授乳前の体重と授乳前の測定日時を前記記憶手段に記憶し、その後、前記タイマー割込み手段を起動させた後にベビースケールを低消費電力動作モードにし、前記タイマー割込み手段からのタイマー割込みに応答して再びベビースケールを通常動作モードにすると共に、授乳中カウンタを更新し、
前記制御手段は、前記更新された授乳中カウンタにより所定の測定時間間隔を超えているか否かを判定する第２の判定手段を更に含み、
該第２の判定手段により、所定の測定時間間隔を超えていると判定される場合には、ベビースケールをパワーオフモードにすることにより前記記憶手段に記憶されている授乳前の体重を消去し、
前記第２の判定手段により、所定の測定時間間隔を超えていないと判定される場合には、再びベビースケールを低消費電力動作モードにし、
前記第１の判定手段により、授乳前の体重が測定済みであると判定される場合には、授乳前後の体重から授乳量を算出することを特徴とするベビースケール。
【請求項８】
前記低消費電力動作モードでは、前記記憶手段、計時手段、およびタイマー割込み手段にのみ電力が供給されることを特徴とする請求項７に記載のベビースケール。
【請求項９】
電源が電池または充電可能な蓄電池である請求項１から請求項８のうちのいずれか１項に記載のベビースケール。
【発明の詳細な説明】
【０００１】
【発明の属する技術分野】
本発明は乳幼児の体重を測定する電子式ベビースケールに関し、特に、授乳前の体重と授乳後の体重とを測定して授乳量を求めることが可能な授乳量計量機能付き電子式ベビースケールに関する。
【０００２】
【従来の技術】
従来、このようなベビースケールとしては、授乳前の体重測定から授乳量算出に至るまでの間中ずっと電力を供給され続け、通常に使用可能な状態に維持されて、通常動作モードで動作するものが知られている。
【０００３】
【発明が解決しようとする課題】
しかしながら、授乳前の体重測定終了後から授乳後の体重測定開始までの約３０分から３時間程の間は、ベビースケールにおいて実質的に何らの処理も行われず、いたずらに大量の電力が消費されてしまっている。
【０００４】
また、消費電力が大きいため、電源は専らＡＣ電源に限られてしまっている。ＡＣ電源の場合、ベビースケールに直流電源回路やノイズフィルタ等の部品を備える必要があるため製造コストが増大し、また、コンセントが必要となるため測定場所がコンセントの近くに限られてしまう。
【０００５】
本発明の目的は、上述のような問題点を解消して、授乳量の測定に要する消費電力が小さく、製造コストが廉価で、測定場所が限定されない授乳量計量機能付き電子式ベビースケールを提供することである。
【０００６】
【課題を解決するための手段】
本発明の一つの観点によるならば、乳幼児の授乳前後の体重から授乳量を求めるベビースケールにおいて、重量センサを備えており重量センサからの出力信号に基づいて乳幼児の体重を算出する体重測定手段と、体重の測定日時を入力する日時入力手段と、前記体重および前記測定日時を記憶する不揮発性の記憶手段と、体重測定の開始を指示するための開始指示手段と、ベビースケールを通常動作モード、または、パワーオフモードで動作するよう制御する制御手段とを備え、該制御手段は、開始指示手段からの指示に応答してベビースケールを通常動作モードにし、授乳前の体重が測定済みであるか否かを判定する第１の判定手段を含み、該第１の判定手段により、授乳前の体重が未測定であると判定される場合には、授乳前の体重と授乳前の測定日時とを前記記憶手段に記憶し、その後、ベビースケールをパワーオフモードにし、前記第１の判定手段により、授乳前の体重が測定済みであると判定される場合には、授乳前後の測定日時から測定時間間隔を算出し、前記制御手段は、前記算出された測定時間間隔が所定の測定時間間隔を超えているか否かを判定する第２の判定手段を更に含み、該第２の判定手段により、前記算出された測定時間間隔が所定の測定時間間隔を超えていると判定される場合には、前記記憶手段に記憶されている授乳前の体重および測定日時を消去した後に、ベビースケールをパワーオフモードにし、前記第２の判定手段により、前記算出された測定時間間隔が所定の測定時間間隔を超えていないと判定される場合には、授乳前後の体重から授乳量を算出することを特徴とするベビースケールが提供される。
【０００７】
本発明の別の観点によるならば、乳幼児の授乳前後の体重から授乳量を求めるベビースケールにおいて、重量センサを備えており重量センサからの出力信号に基づいて乳幼児の体重を算出する体重測定手段と、体重の測定日時を入力する日時入力手段と、前記体重および前記測定日時を記憶する揮発性の記憶手段と、体重測定の開始を指示するための開始指示手段と、ベビースケールを通常動作モード、低消費電力動作モード、または、パワーオフモードで動作するよう制御する制御手段とを備え、該制御手段は、開始指示手段からの指示に応答してベビースケールを通常動作モードにし、授乳前の体重が測定済みであるか否かを判定する第１の判定手段を含み、該第１の判定手段により、授乳前の体重が未測定であると判定される場合には、授乳前の体重と授乳前の測定日時とを前記記憶手段に記憶し、その後、ベビースケールを低消費電力動作モードにし、前記第１の判定手段により、授乳前の体重が測定済みであると判定される場合には、授乳前後の測定日時から測定時間間隔を算出し、前記制御手段は、前記算出された測定時間間隔が所定の測定時間間隔を超えているか否かを判定する第２の判定手段を更に含み、該第２の判定手段により、前記算出された測定時間間隔が所定の測定時間間隔を超えていると判定される場合には、ベビースケールをパワーオフモードにすることにより前記記憶手段に記憶されている授乳前の体重及び測定日時を消去し、前記第２の判定手段により、前記算出された測定時間間隔が所定の測定時間間隔を超えていないと判定される場合には、授乳前後の体重から授乳量を算出することを特徴とするベビースケールが提供される。
【０００８】
前記制御手段は、前記第２の判定手段により、前記算出された測定時間間隔が所定の測定時間間隔を超えていると判定される場合には、エラーを表示した後にベビースケールをパワーオフモードになるようにしても良い。
【０００９】
日時入力手段は手入力により測定日時を入力するようになっているか、または、時計回路であっても良い。
【００１０】
本発明の更に別の観点によるならば、乳幼児の授乳前後の体重から授乳量を求めるベビースケールにおいて、重量センサを備えており重量センサからの出力信号に基づいて乳幼児の体重を算出する体重測定手段と、前記体重および授乳中カウンタを記憶する揮発性の記憶手段と、体重測定を開始するよう指示するための開始指示手段と、一定の時間間隔でタイマー割込みを発生するタイマー割込み手段と、ベビースケールを通常動作モード、パワーオフモード、または、低消費電力動作モードで動作するよう制御する制御手段とを備え、該制御手段は、開始指示手段からの指示に応答してベビースケールを通常動作モードにし、授乳前の体重が測定済みであるか否かを判定する第１の判定手段を含み、該第１の判定手段により、授乳前の体重が未測定であると判定される場合には、授乳前の体重と授乳前の測定日時を前記記憶手段に記憶し、その後、前記タイマー割込み手段を起動させた後にベビースケールを低消費電力動作モードにし、前記タイマー割込み手段からのタイマー割込みに応答して再びベビースケールを通常動作モードにすると共に、授乳中カウンタを更新し、前記制御手段は、前記更新された授乳中カウンタにより所定の測定時間間隔を超えているか否かを判定する第２の判定手段を更に含み、該第２の判定手段により、所定の測定時間間隔を超えていると判定される場合には、ベビースケールをパワーオフモードにすることにより前記記憶手段に記憶されている授乳前の体重を消去し、前記第２の判定手段により、所定の測定時間間隔を超えていないと判定される場合には、再びベビースケールを低消費電力動作モードにし、前記第１の判定手段により、授乳前の体重が測定済みであると判定される場合には、授乳前後の体重から授乳量を算出することを特徴とするベビースケールが提供される。
【００１１】
尚、電源は電池または充電可能な蓄電池であるのが好ましい。
【００１２】
【発明の実施の形態】
以下に、本発明の好適な実施例を図面に基づいて説明する。
【００１３】
図１は、本発明に係る授乳量計量機能付き電子式ベビースケールの第一実施例の外部構成を示す斜視図である。本ベビースケール１は、測定に必要な電子機器を内蔵するケース２と、ケース２の上面に備えられた乳幼児を載せるトレイ３とからなる。ケース２の上面には、測定結果や操作案内等が表示される表示部４が設けられ、ケース２の側面には、ベビースケール１の電源を入れるためのＯＮスイッチ５、操作スイッチ６が設けられている。本ベビースケール１は、使用可能な「電源を入れた」状態で通常に動作する通常動作モードか、電力の消費がゼロの「電源を切った」状態で動作を停止するパワーオフモードかのいずれかの動作モードで動作する。ベビースケールの内部構成は、公知なので、ここでは省略する。
【００１４】
図２は、図１に示したベビースケールの電気的構成を示すブロック図である。本ベビースケール１はマイコン７、ＯＮスイッチ５、操作スイッチ６、重量センサ８、Ａ／Ｄ変換部９、表示部４を備えている。また、図示されていないが、本ベビースケール１の電源は、ＡＣ電源、内蔵の電池、または内蔵の充電可能な蓄電池である。
【００１５】
マイコン７は、ベビースケールの動作全体の制御や演算処理等を行うＣＰＵ７ａ、測定データ等を一時的に記憶するＲＡＭ７ｂ、測定データ等を電力の供給がない状態でも記憶し続け、電気的に書き換え可能なＥＥＰＲＯＭ７ｃ、割込み回路７d、タイマー７ｅ、ＣＰＵ７ａが実行するプログラム等を記憶するＲＯＭ７fを備える。マイコン７は、全体に電力が供給されて通常に動作する通常動作モードか、電力が供給されずに動作を停止するパワーオフモードかのいずれかの動作モードで動作する。マイコン７が通常動作モードになることによりベビースケール１は通常動作モードになり、また、マイコン７がパワーオフモードになることによりベビースケール１はパワーオフモードになる。
【００１６】
操作スイッチ６は、押下されると、測定に関連する命令やデータ等の入力信号を生成する。操作スイッチ６からの入力信号に応答して、マイコン７は所定の制御や演算処理等を行う。重量センサ８はストレインゲージを備えており、重量を検知して重量に比例した電圧値を出力する。Ａ／Ｄ変換部９は、重量センサ８から出力された電圧値をアナログ信号からデジタル信号に変換する。Ａ／Ｄ変換部９から出力されたデジタル信号を受けて、マイコン７は、それらの信号から重量を算出する。表示部４は、マイコン７の制御により、測定データや操作案内等を表示する。
【００１７】
続いて、図３Ａ、Ｂを参照して、ベビースケール１における授乳量の測定フローをベビースケール１の動作と関連付けて説明する。使用者によりＯＮスイッチ５が押下されると、ベビースケール１は通常動作モードになり、授乳前の体重測定に関連する一連の処理が開始となる（ステップ１）。そして、ＥＥＰＲＯＭ７ｃに記憶されている授乳前測定フラグがセットされているか否かが判定される。授乳前測定フラグは、授乳前の体重が測定済みであるか否かを示すものであり、授乳前の体重が未測定であるならばセットされておらず、授乳前の体重が測定済みであるならばセットされている（ステップ２）。
【００１８】
ステップ２で授乳前測定フラグがセットされていないと判定された場合、すなわち授乳前の体重が未測定であると判定された場合には、ステップ３に進み、使用者により操作スイッチ６を用いて授乳前の体重の測定日時（以下、単に授乳前の測定日時と呼ぶ。）と授乳後の体重の測定日時（以下、単に授乳後の測定日時と呼ぶ。）との間の予定される測定時間間隔が入力されると（ステップ３）、入力された測定時間間隔がＥＥＰＲＯＭ７ｃに記憶される（ステップ４）。使用者によりトレイ３に乳幼児が載せられると、授乳前の体重測定が行われる（ステップ５）。使用者により操作スイッチ６を用いて記憶要求が入力されると（ステップ６）、測定された授乳前の体重がＥＥＰＲＯＭ７ｃに記憶され（ステップ７）、また、授乳前測定フラグがセットされて、授乳前の体重が測定済みであることを示すようにされる（ステップ８）。使用者により操作スイッチ６を用いて授乳前の測定日時が入力されると（ステップ９）、授乳前の測定日時がＥＥＰＲＯＭ７ｃに記憶される（ステップ１０）。以上で、授乳前の体重測定に関連する一連の処理は終了となり、べビースケール１はパワーオフモードになる（ステップ１１）。
【００１９】
その後、使用者により再びＯＮスイッチ５が押下されると、ベビースケール１は再び通常動作モードになり、授乳後の体重測定に関連する一連の処理が開始となる（ステップ１）。そして、ＥＥＰＲＯＭ７ｃに記憶されている授乳前測定フラグがセットされているか否かが判定される（ステップ２）。今度は先にステップ８で授乳前測定フラグがセットされているので、授乳前測定フラグがセットされている、すなわち授乳前の体重が測定済みであると判定されて、ステップ１２に進む。使用者により操作スイッチ６を用いて授乳後の測定日時が入力されると（ステップ１２）、授乳後の測定日時からＥＥＰＲＯＭ７ｃに記憶されている授乳前の測定日時が減算されて、測定時間間隔が算出され、ＥＥＰＲＯＭ７ｃに記憶されている予定の測定時間間隔を超えていないかが判定される（ステップ１３）。測定時間間隔が予定の測定時間間隔を超えていると判定された場合には、測定済みの授乳前の体重が無効である旨を伝えるエラーメッセージが表示部４に表示され（ステップ１４）、次回の授乳前の体重測定に備えて、ＥＥＰＲＯＭ７ｃに記憶されている授乳前の体重、授乳前の測定日時および予定の測定時間間隔が消去され（ステップ１５）、授乳前測定フラグがリセットされて、授乳前の体重が未測定であることを示すようにされる（ステップ１６）。以上で授乳後の体重測定に関連する一連の処理は終了となり、ベビースケール１はパワーオフモードになる（ステップ１７）。
【００２０】
一方、ステップ１３で測定時間間隔が所定の値を超えていないと判断された場合には、ステップ１８に進み、使用者によりトレイ３に乳幼児が載せられると、授乳後の体重測定が行われる（ステップ１８）。そして、測定された授乳後の体重からＥＥＰＲＯＭ７ｃに記憶されている授乳前の体重が減算されて、授乳量が算出され（ステップ１９）、算出された授乳量が表示部４に表示される（ステップ２０）。表示開始から所定時間が経過すると（ステップ２１）、次回の授乳前の体重測定に備えて、ＥＥＰＲＯＭ７ｃ内に記憶されている授乳前の体重、授乳前の測定日時および予定の測定時間間隔が消去され（ステップ２２）、また、授乳前測定フラグがリセットされて、授乳前の体重が未測定であることを示すようにされる（ステップ２３）。以上で、授乳後の体重測定に関連する一連の処理は終了となり、べビースケール１はパワーオフモードになる。（ステップ２４）。
【００２１】
このように本実施例のベビースケール１では、授乳前の体重測定に関連する一連の処理の終了後、自動的にベビースケール１はパワーオフモードになり、授乳後の体重測定に関連する一連の処理が開始する迄パワーオフモードであり続けるので、無駄な電力の消費がなくなり、授乳量の算出のために要する消費電力が小さくなる。また、測定時間間隔が所定の測定時間間隔を超えていないかが判断され、所定時間を越えている場合には授乳量が算出されないので、無効な授乳前の体重から誤った授乳量が算出されてしまうことがない。
【００２２】
尚、本実施例では、授乳前の測定日時と授乳前の体重が不揮発性メモリに記憶されるので、授乳前の体重測定に関連する一連の処理の終了後から授乳後の体重測定に関連する一連の処理の開始迄の間、ベビースケールをパワーオフモードにして、消費電力をゼロにすることができる。
【００２３】
続いて、本発明に係る授乳量計量機能付き電子式ベビースケールの第二実施例について説明する。第二実施例においては、コストアップにつながる不揮発性メモリを使う第一実施例に対して、授乳前の測定日時等の記憶場所として揮発性メモリを使う。そして、授乳前の体重測定に関連する一連の処理の終了後から授乳後の体重測定に関連する一連の処理の開始迄の間は、一部分のみが電力を供給されて動作して通常動作モード時よりも消費電力が小さい低消費電力動作モードでベビースケールを動作させる。特に本実施例の低消費電力動作モードでは、以後の処理を行うために動作し続ける必要のある部分、すなわち授乳前の体重、授乳前の測定日時および授乳前測定フラグを記憶するＲＡＭ７ｂのみが電力を供給されて動作する。これにより消費電力を低くおさえることが可能となる。
【００２４】
第二実施例の外部構成は図１に示す第一実施例のものと同様である。第二実施例の電気的構成を図４に示す。図４において、図１の構成要素と等しい構成要素には、図１の構成要素に付された番号と同一の番号が付されている。第二実施例の電気的構成も第一実施例のものとほぼ同様であり、相違点のみを説明すると、第二実施例のベビースケール１２は、ＥＥＰＲＯＭ７ｃを備えておらず、書き込み可能な記憶装置としては揮発性の記憶装置であるＲＡＭ７ｂを備えるのみである。また、マイコン７は通常動作モードおよびパワーオフモードに加え、一部のみ、特に本実施例では以後の処理を行うために動作し続ける必要のあるＲＡＭ７ｂのみが電力を供給されて動作して通常動作モードよりも電力の消費が小さい低消費電力動作モードで動作する。マイコン７が低消費電力動作モードになることによりベビースケール１０は低消費電力動作モードになる。
【００２５】
第二実施例のベビースケールにおける授乳量の測定フローも図３Ａ、Ｂに示す第一実施例のものとほぼ同様であり、図３Ａ、Ｂとの相違点のみを説明すると、ステップ４で測定時間間隔はＥＥＰＲＯＭ７ｃではなくＲＡＭ７ｂに記憶され、同様に、ステップ７、ステップ８、ステップ１０で授乳前の体重、授乳前測定フラグ、授乳前の測定日時もそれぞれＲＡＭ７ｂに記憶される。対応して、ステップ２ではＥＥＰＲＯＭ７ｃではなくＲＡＭ７ｂから授乳前測定フラグが読み出され、同様に、ステップ１３、ステップ１９で授乳前の測定日時、授乳前の体重もＲＡＭ７ｂから読み出される。
【００２６】
ステップ１１では、ベビースケール１０は、パワーオフモードではなく、ＲＡＭ７ｂのみが電力を供給されて動作する低消費電力動作モードになる。従って、以後の処理で用いられるＲＡＭ７ｂに記憶されたデータは消去されずに保持される。また、消費電力は通常動作モード時よりも小さくなる。
【００２７】
ステップ１５で授乳前の測定日時および授乳後の測定日時をＥＥＰＲＯＭ７ｃから消去する処理、および、ステップ１６で授乳前測定フラグをリセットする処理は不要となり、ステップ１４でエラーメッセージが表示されることにより、一連の授乳後の体重測定に関連する処理は終了し、ステップ１７でベビースケール１０はパワーオフモードとなる。同様に、ステップ２２、ステップ２３の処理も不要となり、ステップ２１で表示開始から所定時間が経過すると、一連の授乳後の体重測定に関連する処理は終了し、ステップ２４でベビースケール１０はパワーオフモードとなる。
【００２８】
本実施例においては、授乳前の体重測定に関連する一連の処理の終了後から授乳後の体重測定に関連する一連の処理の開始迄の間は、ＲＡＭ７ｂのみが電力を供給されて動作する低消費電力動作モードでベビースケール１０を動作させるので、消費電力を低くおさえることができる。第１実施例に比較してのメリットは、コストアップにつながる不揮発性メモリを使わなくて済むことである。デメリットは、低消費電力とはいえ電力を消費することである。
【００２９】
続いて、本発明に係る授乳量計量機能付き電子式ベビースケールの第三実施例について説明する。第三実施例においては、測定日時を手入力する第一実施例に対し、時計回路を付加することにより、測定日時を手入力する煩わしさから測定者は開放される。第三実施例の外部構成は図１に示す第一実施例のものと同様である。第三実施例の電気的構成を図５に示す。図５において、図１の構成要素と等しい構成要素には、図１の構成要素に付された番号と同一の番号が付されている。第三実施例の電気的構成も第一実施例のものとほぼ同様であり、相違点のみを説明すると、第三実施例のベビースケール１１には、日時を測定する時計回路１２が備えられている。時計回路１２は、バックアップ電源で動作し、ベビースケール１１がパワーオフモードでも日時の測定を継続することができる。
【００３０】
第三実施例のベビースケール１３における授乳量の測定フローを図６Ａ、Ｂを用いて説明する。この実施例の測定フローは、図３Ａ、Ｂに示す第一実施例のものとほぼ同様であり、図３Ａ、Ｂと同じステップには、同じステップ番号が付されている。本実施例では、ステップ１で使用者によりＯＮスイッチが押下された後に、時計回路１２の設定変更に関する処理が行われる。すなわち、ステップ１’において、使用者により操作スイッチ６を用いて時計回路１２の日時の設定を変更するか否かが入力され、時計回路１２の日時の設定を変更すると入力された場合には、ステップ１''に進み、使用者により操作スイッチ６を用いて時計回路の新たな日時が入力されると、時計回路１２の日時が変更された後に、ステップ２に進む。また、ステップ１’において、時計回路１２の日時の設定を変更しないと入力された場合には、ステップ２に進む。
【００３１】
ステップ９’では、授乳前の測定日時は時計回路１２より取得される。また、ステップ１２’でも、同様に授乳後の測定日時は時計回路１２より取得される。このように、第三実施例のベビースケールでは、使用者が操作スイッチ６を用いて授乳前の測定日時および授乳後の測定日時を入力する必要がなくなる。本実施例の第一実施例に比較してのメリットは、測定日時を手入力する必要がないことである。デメリットは、時計回路を使うためコストアップになることである。
【００３２】
続いて、本発明に係る授乳量計量機能付き電子式ベビースケールの第四実施例について説明する。第四実施例においては、コストアップにつながる時計回路を使う第三実施例に対し、マイコンのみを使って後述する割込み処理を行うことにより、測定日時を手入力する必要なく無効な授乳量の算出を防止する。また、第四実施例では、コストアップにつながる不揮発性メモリは使われず、授乳前の体重等の記憶場所として揮発性メモリを使う。そして、授乳前の体重測定に関連する一連の処理の終了後から授乳後の体重測定に関連する一連の処理の開始迄の間は、間欠的に、以後の処理のために動作し続ける必要のある割込み回路、ＲＡＭおよびタイマーにのみ電力が供給されて動作する低消費電力動作モードで、ベビースケールを動作させる。これにより消費電力を低くおさえることができる。第四実施例の外部構成は図１に示す第一実施例のものと同様である。第四実施例の電気的構成は図４に示す第二実施例のものとほぼ同様であるが、低消費電力動作モードのマイコン７では、以後の処理のために動作し続ける必要のある割込み回路７ｄ、ＲＡＭ７ｂおよびタイマー７ｅのみが電力を供給されて動作する。
【００３３】
続いて、図７および図８を参照して、第４実施例のベビースケールにおける授乳量の測定フローをベビースケールの動作と関連付けて説明する。使用者によりＯＮスイッチ５が押下されると、ベビースケールは通常動作モードになり、授乳前の体重測定に関連する一連の処理が開始となる（ステップ７１）。そして、ＲＡＭ７ｂに記憶されている授乳前測定フラグがセットされているか否かが判定される。授乳前測定フラグは、授乳前の体重が測定済みであるか否かを示すものであり、授乳前の体重が未測定であるならばセットされておらず、授乳前の体重が測定済みであるならばセットされている（ステップ７２）。
【００３４】
ステップ７２で授乳前測定フラグがセットされていないと判定された場合、すなわち授乳前の体重が未測定であると判定された場合には、ステップ７３に進み、使用者により操作スイッチ６を用いて授乳前の測定日時と授乳後の体重測定との間の予定する測定時間間隔が入力されると（ステップ７３）、入力された測定時間間隔がＲＡＭ７ｂに記憶される（ステップ７４）。使用者によりトレイ３に乳幼児が載せられると、授乳前の体重測定が行われる（ステップ７５）。使用者により操作スイッチ６を用いて記憶要求が入力されると、測定された授乳前の体重がＲＡＭ７ｂに記憶され（ステップ７６）、また、授乳前測定フラグがセットされて、授乳前の体重が測定済みであることを示すようにされる（ステップ７７）。以上で、授乳前の体重測定に関連する一連の処理は終了となり、後述するタイマー割込み処理をスタートさせた後に、べビースケールは低消費電力動作モードに移行する（ステップ７８）。割込みの間隔は例えば１分に設定する。
【００３５】
その後、後述するタイマー割込み処理においてベビースケールがパワーオフモードになる前に使用者により再びＯＮスイッチ５が押下されると、ベビースケールは再び通常動作モードになり、ステップ７８でスタートされたタイマー割込み処理は終了され、授乳後の体重測定に関連する一連の処理が開始となる（ステップ７１）。そして、ＲＡＭ７ｂに記憶されている授乳前測定フラグがセットされているか否かが判定される（ステップ７２）。今度は先にステップ７７で授乳前測定フラグがセットされているので、授乳前測定フラグがセットされている、すなわち授乳前の体重が測定済みであると判定されて、ステップ７９に進む。使用者によりトレイ３に乳幼児が載せられると、授乳後の体重測定が行われる（ステップ７９）。そして、測定された授乳後の体重からＲＡＭ７ｂに記憶されている授乳前の体重が減算されて、授乳量が算出され（ステップ８０）、算出された授乳量が表示部４に表示される（ステップ８１）。表示開始から所定時間が経過すると（ステップ８２）、授乳後の体重測定に関連する一連の処理は終了となり、べビースケール１はパワーオフモードになる。（ステップ８３）。
【００３６】
次に、図８を用いて、ステップ７８においてスタートされるタイマー割込み処理について説明する。タイマー７ｅおよび割込み回路７ｄより一定時間毎に、本実施例では１分間隔でタイマー割込みが生成され、タイマー割込みに応答して、ベビースケールは通常動作モードになり（ステップ９１）、ＲＡＭ７ｂに記憶されている授乳中カウンタがカウントアップされる。本実施例では、前述したように割込み間隔が１分間に設定されているので、カウントアップされる毎に１分間経過したことが計時されることになる（ステップ９２）。ステップ９３では、このように計時されている授乳中カウンタがステップ７３で入力された予定の測定時間間隔を越えていないかが監視される（ステップ９３）。授乳中カウンタが予定の測定時間間隔を越えていると判定された場合には、ステップ９５で、表示部４に「授乳前の体重が無効になりました！」旨のエラーメッセージが表示され、ベビースケールはパワーオフモードになる（ステップ９５）。従って、ＲＡＭ７ｂに記憶されている授乳前測定フラグはリセットされ、次回ＯＮスイッチ５が押下されてベビースケール１が通常動作モードになると、授乳後ではなく授乳前の体重測定に関連する一連の処理が開始される。一方、ステップ９３で、超えていないと判定された場合には、ベビースケールは再び低消費電力動作モードになり、タイマー割込み処理が繰り返される（ステップ９４）。
【００３７】
本実施例では、授乳前の体重測定に関連する一連の処理の終了後から授乳後の体重測定に関連する一連の処理の開始迄の間は、間欠的に割込み回路７ｄ、ＲＡＭ７ｂおよびタイマー７ｅのみが電力を供給されて動作する低消費電力動作モードで動作し、また、授乳前の体重測定後から所定時間が経過するとベビースケールは自動的にパワーオフされるので、消費電力を低くおさえることができる。また、後者により、無効な授乳前の体重から誤った授乳量が算出されてしまうことがなくなる。本実施例の第一実施例に対するメリットは、コストアップにつながる不揮発性メモリを使わなくて済み、また、測定日時を手入力する必要がないことである。デメリットは、低消費電力とはいえ電力を消費することである。本実施例の第ニ実施例に対するメリットは、測定日時を手入力する必要がないことである。本実施例の第三実施例に対するメリットは、コストアップにつながる不揮発性メモリおよび時計回路を使わなくて済むことである。デメリットは、低消費電力とはいえ電力を消費することである。
【００３８】
以上、本発明の第一実施例から第四実施例を説明したが、本発明はこれらの実施例に限定されるものではない。例えば、第一実施例から第三実施例において、授乳後の測定日時を取得して、授乳後の測定日時と授乳前の測定日時との間の測定時間間隔が予定の測定時間隔を超えていないかどうかの判定を行う（図３Ｂのステップ１２および１３、図６Ｂのステップ１２’および１３）代わりに、授乳後の測定日時の取得は行わず、授乳後の体重測定前に授乳前の測定日時を表示し、使用者が授乳前の測定日時の有効性を判断して、授乳後の体重測定を行うか否かを選択できるようにしても良い。
【００３９】
【発明の効果】
以上説明したように、第一実施例から第三実施例のベビースケールによるならば、授乳前の体重測定に関連する一連の処理の終了後から授乳後の体重測定に関連する一連の処理が開始するまでの間、パワーオフモードまたは低消費電力動作モードになる。第四実施例のベビースケールによるならば、授乳前の体重測定に関連する一連の処理の終了後から授乳後の体重測定に関連する一連の処理が開始するまでの間、間欠的に低消費電力動作モードになり、また、授乳前の体重測定に関連する一連の処理の終了後からの経過時間が監視され、所定時間内に授乳後の体重測定が開始されないならば、自動的にパワーオフモードになる。従って、無駄な電力の消費が防止され、授乳量の測定に要する消費電力が小さくなる。
【００４０】
また、第一実施例から第三実施例のベビースケールによるならば、授乳前後の体重の測定時間間隔が所定の値を超えていないかが判断され、所定の測定時間間隔を越えている場合には授乳量は算出されずエラーメッセージが表示される。第四実施例のベビースケールによるならば、授乳前の体重測定に関連する一連の処理の終了後からの経過時間が監視され、授乳後の体重測定に関連する一連の処理の開始前に所定時間を経過する場合には、自動的にパワーオフモードになる。従って、無効な授乳前の体重から誤った授乳量が算出されて使用されてしまうことがない。尚、授乳前の測定日時を表示して、使用者が授乳前の体重の有効性を判断して授乳後の体重測定を行うか否かを決定するようにしても良い。
【００４１】
ベビースケールの使用者の立場に立つと、使いやすいのは、第三実施例または第四実施例である。どちらの実施例を使うかは、消費電力とコストとのトレードオフである。すなわち、第三実施例は、消費電力は低いが、不揮発性メモリと時計回路を使うのでコストは高い。一方、第四実施例は、消費電力が第三実施例に比較して、高いが、コストは低い。
【００４２】
上述のように、本実施例のベビースケールによるならば、消費電力が小さくなるため、電源としてＡＣ電源だけでなく電池や充電可能な蓄電池を使用することが可能となる。そして、電池や蓄電池を使用する場合には、ＡＣ電源を使用する場合に必要となる直流電源回路やノイズフィルタ等の部品が不要となる。従って、製造コストを削減することができる。また、電池や蓄電池を使用する場合には、ＡＣ電源を使用する場合に必要なコンセントは不要となる。従って、測定場所がコンセントの近くに限定されない。
【図面の簡単な説明】
【図１】  本発明に係る授乳量計量機能付き電子式ベビースケールの第一実施例の外部構成を示す斜視図である。
【図２】  図１に示したベビースケールの電気的構成を示すブロック図である。
【図３Ａ】  図１に示したベビースケールにおける測定フローを示すフローチャートである。
【図３Ｂ】  図１に示したベビースケールにおける測定フローを示すフローチャートである。
【図４】  本発明に係る授乳量計量機能付き電子式ベビースケールの第二実施例の電気的構成を示すブロック図である。
【図５】  本発明に係る授乳量計量機能付き電子式ベビースケールの第三実施例の電気的構成を示すブロック図である。
【図６Ａ】  本発明に係る授乳量計量機能付き電子式ベビースケールの第三実施例における測定フローを示すフローチャートである。
【図６Ｂ】  本発明に係る授乳量計量機能付き電子式ベビースケールの第三実施例における測定フローを示すフローチャートである。
【図７】  本発明に係る授乳量計量機能付き電子式ベビースケールの第四実施例における測定フローを示すフローチャートである。
【図８】  本発明に係る授乳量計量機能付き電子式ベビースケールの第四実施例におけるタイマー割込み処理フローを示すフローチャートである。
【符号の説明】
１、１０、１１・・・ベビースケール、２・・・ケース、３・・・トレイ、
４・・・表示部、５・・・ＯＮスイッチ、
６・・・操作スイッチ、７・・・マイコン、７ａ・・・ＣＰＵ、
７ｂ・・・ＲＡＭ、７ｃ・・・ＥＥＰＲＯＭ、７d・・・割込み回路、
７ｅ・・・タイマー、７f・・・ＲＯＭ、８・・・重量センサ、
９・・・Ａ／Ｄ変換部、１２・・・時計回路
【図１】
0003718630.tif 000002
【図２】
0003718630.tif 000003
【図３Ａ】
0003718630.tif 000004
【図３Ｂ】
0003718630.tif 000005
【図４】
0003718630.tif 000006
【図５】
0003718630.tif 000007
【図６Ａ】
0003718630.tif 000008
【図６Ｂ】
0003718630.tif 000009
【図７】
0003718630.tif 000010
【図８】
0003718630.tif 000011